(57)【要約】【課題】基材２の湯切り孔６上を覆う表面材３の第１領域３ａを表面材３のその他の部分である第２領域３ｂと切り離して剥離可能な即席食品用湯切り蓋材において、表面材３と基材２間の適度な接着強度が確実に得られ、不用意な剥離を生じることなく、必要なときに表面材３を剥離して湯切り孔６を確実に露出させることができる即席食品用湯切り蓋材１を提供する。【解決手段】表面材３の第２領域３ｂが、全面接着部９ｂにより基材２と全面接着されている一方、表面材３の第１領域３ａが、全面接着部９ｂとの間に湯切り孔９を囲み込むライン状接着部９ａにより基材２と部分接着されている即席食品用湯切り蓋材１とする。【選択図】　　　図１
2004067193.tif 000002
【特許請求の範囲】
【請求項１】
一縁部に片寄った領域に湯切り孔が形成された基材と、この基材上を覆う表面材とが積層されていると共に、基材の湯切り孔上を覆う表面材の一縁部である第１領域を表面材のその他の部分である第２領域と切り離して剥離可能な即席食品用湯切り蓋材において、
表面材の第２領域は、全面接着部により基材と全面接着されている一方、表面材の第１領域は、全面接着部との間に湯切り孔を囲み込むライン状接着部により基材と部分接着されていることを特徴とする即席食品用湯切り蓋材。
【請求項２】
表面材が、一軸延伸フィルムの単層又は積層材料であり、全面接着部の湯切り孔側の端縁の方向に延伸方向を合わせて基材に層されていることを特徴とする請求項１に記載の即席食品用湯切り蓋材。
【請求項３】
表面材が、全面接着部の湯切り孔側の端縁の端部にノッチを有することを特徴とする請求項２に記載の即席食品用湯切り蓋材。
【請求項４】
表面材と基材の接着が、表面材と基材の対向面の少なくとも一方の全面に設けられた接着層を介して行われており、しかも全面接着部とライン状接着部以外の範囲の接着層上に非接着性材料が介在されていることを特徴とする請求項１〜３のいずれか１項に記載の即席食品用湯切り蓋材。
【請求項５】
表面材と基材の接着が、表面材と基材の対向面の少なくとも一方の全面に設けられた接着層を介して行われており、しかも全面接着部とライン状接着部以外の範囲の表面材又は基材が、エンボス加工により、対向する基材又は表面材から離間されていることを特徴とする請求項１〜３のいずれか１項に記載の即席食品用湯切り蓋材。
【発明の詳細な説明】
【０００１】
【発明の属する技術分野】
本発明は、例えば即席焼きそばなどのように、注湯後に湯切りして喫食される即席食品のパッケージに使用される即席食品用湯切り蓋材に関する。
【０００２】
【従来の技術】
従来、即席食品用湯切り蓋材としては、一縁部に片寄った領域に湯切り孔を形成した基材と、この基材上を覆う表面材とを積層すると共に、基材の湯切り孔上を覆う表面材の一縁部である第１領域を表面材のその他の部分である第２領域と切り離して剥離可能としたものが知られている（実公昭５７−５５１７５号公報）。
【０００３】
上記従来の即席食品用湯切り蓋材は、基材側の周縁部を容器の開口部周縁にヒートシールして取り付けられ、湯切り孔形成側とは反対側から蓋材の一部を剥離して容器内に注湯した後、基材の湯切り孔上を覆う表面材の第１領域を第２領域から切り離すと共に基材から剥離することで、湯切り孔を露出させて容器内の湯を注ぎ出すことができるものとなっている。
【０００４】
【発明が解決しようとする課題】
ところで、上記従来の即席食品用湯切り蓋材における基材と表面材間の剥離は、両者間の接着強度を剥離剤の塗布などによって引き剥がし可能に調整しておくことによる界面剥離によって行われるものとなっている。
【０００５】
しかしながら、上記界面剥離は、接着強度を好都合な状態に調整しにくい問題がある。例えば接着強度が強すぎる場合、表面材の剥離作業が行いにくくなったり、表面材の剥がし残りを生じて、表面材を剥離しても完全に湯切り孔が露出されないことを生じる。また、接着強度が弱すぎると、輸送や保管途中での不用意な表面材の剥離を生じ、商品価値が失われやすくなる。
【０００６】
本発明は、上記従来の問題点に鑑みてなされたもので、表面材と基材間の適度な接着強度が確実に得られ、不用意な剥離を生じることなく、必要なときに表面材を剥離して湯切り孔を確実に露出させることができる即席食品用湯切り蓋材を提供することを目的とする。
【０００７】
【課題を解決するための手段】
上記目的を達成するために、本発明は、一縁部に片寄った領域に湯切り孔が形成された基材と、この基材上を覆う表面材とが積層されていると共に、基材の湯切り孔上を覆う表面材の一縁部である第１領域を表面材のその他の部分である第２領域と切り離して剥離可能な即席食品用湯切り蓋材において、表面材の第２領域は、全面接着部により基材と全面接着されている一方、表面材の第１領域は、全面接着部との間に湯切り孔を囲み込むライン状接着部により基材と部分接着されていることを特徴とする即席食品用湯切り蓋材を提供するものである。
【０００８】
また、上記本発明は、表面材が、一軸延伸フィルムの単層又は積層材料であり、全面接着部の湯切り孔側の端縁の方向に延伸方向を合わせて基材に層されていること、
表面材が、全面接着部の湯切り孔側の端縁の端部にノッチを有すること、
表面材と基材の接着が、表面材と基材の対向面の少なくとも一方の全面に設けられた接着層を介して行われており、しかも全面接着部とライン状接着部以外の範囲の接着層上に非接着性材料が介在されていること、
表面材と基材の接着が、表面材と基材の対向面の少なくとも一方の全面に設けられた接着層を介して行われており、しかも全面接着部とライン状接着部以外の範囲の表面材又は基材が、エンボス加工により、対向する基材又は表面材から離間されていること、
をその好ましい態様として含むものである。
【０００９】
【発明の実施の形態】
まず、図１〜図４に基づいて本発明の一例を説明する。
【００１０】
図１は本発明の第１の例に係る湯切り蓋材を有する即席食品パッケージの平面図、図２は図１におけるＡ−Ａ断面図、図３は図１におけるＢ−Ｂ断面図、図４は図１に示される即席食品パッケージにおいて、表面材の第１領域を剥離した状態の平面図である。
【００１１】
図１〜図３に示されるように、本例の湯切り蓋材１は、基材２と表面材３を積層したもので、基材２側の周縁部を容器４の開口部周縁にヒートシールすることで、即席食品（図示されていない）が入った容器４内を密封している。
【００１２】
湯切り蓋材１の一縁部は容器４よりも外方に延出しており、湯切り蓋材１を容器４から引き剥がすための開封用タブ５を構成している。また、開封用タブ５とは反対側の縁部に片寄った領域に湯切り孔６が形成されている。この湯切り孔６は、基材２のみを貫通しており、基材２上に積層された表面材３によって覆われている。
【００１３】
表面材３は、上記基材２の湯切り孔６上を覆う一縁部である第１領域３ａと、その他の領域である第２領域３ｂとからなり、両者間には、例えばミシン目、断続的なスリットなどの切り離しライン７が形成されている。また、この切り離しライン７に隣接する第１領域３ａの縁部が外方に延出して剥離用タブ８を形成している。本例の湯切り蓋材１は、この剥離用タブ８を持って引っ張ることにより、基材２の湯切り孔６上を覆う表面材３の第１領域３ａを第２領域３ｂから切り離しライン７に沿って切り離しつつ基材２から剥離し、基材２に設けられた湯切り孔６を露出させることができるようになっている。
【００１４】
表面材３の第２領域３ｂは、全面接着部９ｂによって基材２に全面接着されている一方、表面材３の第１領域３ａは、全面接着部９ｂとの間に湯切り孔６を囲み込むライン状接着部９ａによって基材２に部分的に接着されたものとなっている。即ち、本発明の湯切り蓋材１は、上記ライン状接着部９ａ及び全面接着部９ｂ以外の範囲においては、表面材３と基材１は接着されておらず、湯切り孔６はこの接着されていない領域に位置していることから、第１領域３ａをライン状接着部９ａから引き剥がしつつ前記切り離しライン７を介して分離すれば、図４に示されるように、剥がし残りによる湯切り孔６の閉塞を生じさせることなく、確実に湯切り孔６を露出させることができる。また、上記ライン状接着部９ａは、全面接着部９ｂとの間に湯切り孔６を囲み込んで設けられていることから、第１領域３ａを剥離する前は湯切り孔６を密封することができ、しかもライン状であることから、その幅を調整することにより、不用意な剥離を防止できる接着強度と剥離性とを同時に満たす適度な接着強度を得ることができる。
【００１５】
ところで、基材２と表面材３の積層は、通常、両者の対向面のいずれか一方の全面又は両方の全面にヒートシール性樹脂などの接着層（図示されていない）を設けておき、加熱圧着などによって行われる。この場合、ライン状接着部９ａと全面接着部９ｂ以外の範囲の接着層上に非接着性材料を介在させておくことにより、基材２と表面材３の積層後、ライン状接着部９ａと全面接着部９ｂ以外の範囲を非接着状態とすることができる。この非接着材料としては、例えば離型剤を用いることができ、特にシリコンを添加した硝化綿系樹脂を好ましく用いることができる。また、この非接着材料の付設は、例えばグラビア、オフセット、フレキソ印刷などの印刷手法によって行えば、精度よく行うことができる。
【００１６】
本例におけるライン状接着部９ａは、湯切り孔６の外側に、第１領域３ａの縁部に沿って円弧状に設けられ、その両端がそれぞれ切り離しライン７部分で全面接着部９ｂに連なったものとなっている。このようにすると、剥離用タブ８を摘んで切り離しライン７に沿って第１領域３ａを切り離すと同時に、ライン状接着部９ａを末端部から引き剥がすことができ、第１領域３ａの剥離が容易となるので好ましい。また、切り離しライン７の剥離用タブ８側端部には、切り離しラインに沿った切断をしやすくするために、ノッチ（図示されていない）を設けておくことが好ましい。
【００１７】
本例においては、表面材３の第１領域３ａに、切り離しライン７との間に湯切り孔６を挟みかつ切り離しライン７と平行に、補助切り離しライン１０が設けられている。特に補助切り離しライン１０を、ライン状接着部９ａを横切る位置に設けておくと、第１領域３ａを引き剥がすライン状接着部９ａの長さを短くすることができ、第１領域３ａの剥離が行いやすくなる。この補助切り離しライン１０も、切り離しライン７と同様に、ミシン目や断続的なスリットとして設けることができる。また、上記と同様の理由から、補助切り離しライン１０の剥離用タブ８側端部にもノッチ（図示されていない）を設けておくことが好ましい。
【００１８】
本発明に用いる基材２と表面材３は、それぞれ単層材料でも積層材料でもよいが、特に表面材３として、一軸延伸された直線カット性のあるフィルムの単層材料又はその積層材料を用いることが好ましい。即ち、一軸延伸フィルムは、その延伸方向に直線カット性を有することから、単層材料の場合はその延伸方向に直線的に切断しやすく、積層材料においては、介在される一軸延伸フィルムの直線カット性により切断方向が案内されることにより、延伸方向に直線的に切断しやすくすることができる。このため、上記一軸延伸フィルムの単層又は積層材料の表面材３を、全面接着部３ｂの湯切り孔６側の端縁の方向にその延伸方向を合わせて基材２に積層しておくと、切り離しライン７を設けることなく、第１領域３ａの剥離時に応力が集中しやすい、全面接着部３ｂの湯切り孔６側の端縁に沿って第１領域を第２領域から容易に切断して切り離すことができる。
【００１９】
一軸延伸フィルムの単層又は積層材料の表面材３とする場合、一定位置から切断を開始しやすくするために、全面接着部３ｂの湯切り孔６側の端縁の端部、特に本例においては剥離用タブ８側の端部にノッチ（図示されていない）を設けておくことが好ましい。また、一軸延伸フィルムの単層又は積層材料の表面材３とする場合、前記補助切り離しライン１０の剥離用タブ８側の端部に相当する位置にノッチ（図示されていない）を設けるだけで、前記補助切り離しライン１０を設ける代わりとすることができる。
【００２０】
基材２と表面材３は、遮光性を持たせるために、少なくともいずれか一方にアルミニウムなどの金属層を有することが好ましい。特に表面材３に金属層を設けると、湯切り孔６を形成することによる透光部の発生を防止することができる。
【００２１】
次に、図５に基づいて本発明の他の例について説明する。
【００２２】
図５は本発明の第２の例に係る湯切り蓋材を有する即席食品パッケージの断面図である。尚、図５において、図１〜図４と同じ符号は同じ部材又は部位を示す。
【００２３】
本例における表面材３は、ライン状接着部９ａ及び全面接着部９ｂ位外の範囲が上方に凸状にエンボス加工されており、基材２と離間されている点を除いて、上述した第１の例と同様である。
【００２４】
本例のように、ライン状接着部９ａ及び全面接着部９ｂ位外の範囲をエンボス加工によって基材２から離間させておくと、基材２と表面材３の対向面のいずれか一方の全面又は両方の全面にヒートシール性樹脂などの接着層（図示されていない）を設けて加熱圧着などで両者の積層を行う場合において、前述した非接着性材料の付設を行うことなく、ライン状接着部９ａと全面接着部９ｂ以外の範囲を非接着状態とすることができる。
【００２５】
本例においては、上記表面材３と基材２を部分的に離間させるためのエンボス加工を表面材３に施してあるが、同様のエンボス加工を基材２に施したり、基材２と表面材の両者に施すこともできる。
【００２６】
【発明の効果】
本発明は、以上説明したとおりのものであり、次の効果を奏するものである。
【００２７】
（１）湯切り孔を覆っている表面材の第１領域の剥離は、ライン状接着部を剥離することで行われるので、このライン状接着部の幅を調整することで適度な接着強度を得ることができ、適当な剥離性と不用意な剥離防止とを図りやすい。
【００２８】
（２）湯切り孔が形成された領域の基材とその上を覆う表面材の第１領域は非接着状態であるので、湯切り孔を覆っている表面材の第１領域の剥離時に剥がし残りを生じることがなく、上記第１の領域の剥離により確実に湯切り孔を露出させることができる。
【図面の簡単な説明】
【図１】本発明の第１の例に係る湯切り蓋材を有する即席食品パッケージの平面図である。
【図２】図１におけるＡ−Ａ概略断面図である。
【図３】図１におけるＢ−Ｂ概略断面図である。
【図４】図１に示される即席食品パッケージにおいて、表面材の第１領域を剥離した状態の平面図である。
【図５】本発明の第２の例に係る湯切り蓋材を有する即席食品パッケージの断面図である。
【符号の説明】
１　　湯切り蓋材
２　　基材
３　　表面材
３ａ　第１領域
３ｂ　第２領域
４　　容器
５　　開封用タブ
６　　湯切り孔
７　　切り離しライン
８　　剥離用タブ
９ａ　ライン状接着部
９ｂ　全面接着部
１０　補助切り離しライン
【図１】
2004067193.tif 000003
【図２】
2004067193.tif 000004
【図３】
2004067193.tif 000005
【図４】
2004067193.tif 000006
【図５】
2004067193.tif 000007